(57)【要約】【課題】  住宅用分電盤の集中接地端子と接地極との接続／分離が容易で、接地抵抗値の計測を容易に実施できる接地線配線用器具を提供する。【解決手段】  接地極から延びた接地極側接地線１１を接続する接地極側端子２ａと、分電盤の集中接地端子から延びた分電盤側接地線１２を接続する分電盤側端子２ｂとを同一の端子台２上に配置し、下部のノックアウト穴７ａを備えた底板７を設け、端子台２の上部に３極用コンセント３１を設けた。そして、接地極側端子２ａと分電盤側端子２ｂとを連結／分離する連結金具２３を設け、端子台２に雨水の侵入を防ぐ蓋板４を設けた。【選択図】  図１
2014041763.tif 000002
【特許請求の範囲】
【請求項１】
地中に埋設された接地極から延びた接地線を接続する接地極側端子と、分電盤の集中接地端子から延びた接地線を接続する分電盤側端子とを同一の端子台上に配置し、前記接地極側端子と分電盤側端子とを連結／分離する連結手段を備えると共に、前記端子台を雨水から保護するための蓋手段を具備することを特徴とする接地線配線用器具。
【請求項２】
前記端子台の下端に、引き込む接地線を保護する保護管を固定するためのノックアウト穴を有する底板を備えたことを特徴とする請求項１記載の接地線配線用器具。
【請求項３】
接地端子を備えた３極プラグを接続できる３極用コンセントを前記端子台の上部に備えて成ることを特徴とする請求項１又は２記載の接地線配線用器具。
【請求項４】
住戸の使用電力量を計測する電力量計を収納する電力量計収納箱を前記端子台の上部に備えて成ることを特徴とする請求項１又は２記載の接地線配線用器具。
【発明の詳細な説明】
【技術分野】
【０００１】
本発明は、分電盤に設けられた集中接地端子に接地極から延びた接地線を接続するために住戸の外壁に設置する接地線配線用器具に関する。
【背景技術】
【０００２】
住宅用分電盤から負荷に配設された多くの分岐電路には接地線が併設されており、住宅用分電盤内にはこの接地線を接地極に接続するための集中接地端子が設けられている。このように住宅用分電盤に接続された接地極も、他の接地極と同様に接地抵抗値が所定の値以下に維持されるか、定期的に抵抗値の調査が必要となっている。
一方で、プラグのアース線をネジ止めする接地端子を備えた防水形コンセントがある。例えば、特許文献１のコンセントは、下向きに３極用コンセントを配置してその下部に蓋付きの接地端子を設けている。
【先行技術文献】
【特許文献】
【０００３】
【特許文献１】特開平７−６５８９２号公報
【発明の概要】
【発明が解決しようとする課題】
【０００４】
上記従来の住宅用分電盤における集中接地端子の接地抵抗値の計測は、集中接地端子に接続された接地極からの配線を集中接地端子から分離して行う必要があるため、住宅に入って分電盤を開けて行わなければならなかった。これは、近年のプライバシー意識の高まりから困難な状況となっていた。
【０００５】
一方、上記特許文献１の防水形コンセントは屋外に設置できるため、ネジ締め端子から成る接地端子を地中に埋設した接地極を接続する端子として使用すれば、わざわざ住宅内で接地線の分離作業をする必要がなくなるため、プライバシーの点で好ましかった。
しかしながら、接地極を切り離す機能がないため、この防水形コンセントを使用して接地抵抗値を計測する場合、端子から接地極に接続された接地線を外す作業が相変わらず必要であるため、接地抵抗値の計測は面倒であった。また、接地極に至る接地線は合成樹脂製の保護管で保護するのが望ましいが、上記防水形コンセントは保護管が装着できるよう構成されてはいない。
【０００６】
そこで、本発明はこのような問題点に鑑み、接地極が接続された接地線を良好に接続できると共に、住宅用分電盤の集中接地端子と接地極との接続／分離を容易に実施でき、更に接地抵抗値の計測を容易に実施できる接地線配線用器具を提供することを目的としている。
【課題を解決するための手段】
【０００７】
上記課題を解決する為に、請求項１の発明に係る接地線配線用器具は、地中に埋設された接地極から延びた接地線を接続する接地極側端子と、分電盤の集中接地端子から延びた接地線を接続する分電盤側端子とを同一の端子台上に配置し、前記接地極側端子と分電盤側端子とを連結／分離する連結手段を備えると共に、前記端子台を雨水から保護するための蓋手段を具備することを特徴とする。
この構成によれば、接地極の接地線を取り外したり、他の接地線を取り外すことなく、連結手段を操作するだけで分電盤の集中接地端子と接地極の接続を分離できる。そして、この連結手段の操作は屋外で行うことができるため、居住者のプライバシーを配慮することなく接地抵抗値の計測を容易に実施でき、接地の定期検査をスムーズに行うことができる。
また、接地極の追加が必要となっても、端子台は屋外であるため容易に追加工事を実施できるし、端子台は雨水から保護でき屋外であっても安定した性能を維持できる。
【０００８】
請求項２の発明は、請求項１に記載の構成において、前記端子台の下端に、引き込む接地線を保護する保護管を固定するためのノックアウト穴を有する底板を備えたことを特徴とする。
この構成によれば、接地極から延びた接地線を引き込む際に、使用する保護管を固定することができ、別途固定手段を必要としない。
【０００９】
請求項３の発明は、請求項１又は２に記載の構成において、接地端子を備えた３極プラグを接続できる３極用コンセントを前記端子台の上部に備えて成ることを特徴とする。
この構成によれば、接地端子を備えた３極プラグを接続できるコンセントが併設されるため、屋外での電気機器の使用に便利である。
【００１０】
請求４３の発明は、請求項１又は２に記載の構成において、住戸の使用電力量を計測する電力量計を収納する電力量計収納箱を前記端子台の上部に備えて成ることを特徴とする。
この構成によれば、接地抵抗値を計測する際、電力量計の場所を探せば良く、接地線配線用器具の場所を把握し易い。
【発明の効果】
【００１１】
本発明によれば、接地極の接地線を取り外したり、他の接地線を取り外すことなく、連結手段を操作するだけで分電盤の集中接地端子と接地極の接続を分離できる。そして、この連結手段の操作は屋外で行うことができるため、居住者のプライバシーを配慮することなく接地抵抗値の計測を容易に実施でき、接地の定期検査をスムーズに行うことができる。
また、接地極から延びた接地線を引き込む際に、使用する保護管を固定することができ、別途固定手段を必要としない。
【図面の簡単な説明】
【００１２】
【図１】本発明に係る接地線配線用器具の一例を示し、（ａ）は正面図、（ｂ）は右側面図である。
【図２】（ａ）は図１の底面図、（ｂ）Ａ−Ａ線断面図である。
【図３】接地線配線用器具と分電盤との間の配線を示す説明図である。
【図４】接地線配線用器具の他の構成を示す正面図である。
【図５】図４の設置線配線用器具と分電盤の配置を示す説明図である。
【発明を実施するための形態】
【００１３】
以下、本発明を具体化した実施の形態を、図面を参照して詳細に説明する。図１，図２は本発明に係る接地線配線用器具の一例を示し、図１（ａ）は正面図、（ｂ）は右側面図、図２（ａ）は底面図、図２（ｂ）はＡ−Ａ線断面図である。図示するように、接地線配線用器具１は端子台２とコンセント部３とで構成され、端子台２は雨水の浸入を防ぐための蓋板４で全体が覆われるよう構成されている。また、コンセント部３は端子台２の上部において前方に突出して配置されている。
【００１４】
端子台２は、コンセント部３から一体に形成された板状の基部５上に絶縁台６を配置し、この絶縁台６に地中に埋設した接地極を接続する接地極側端子２ａと分電盤の集中接地端子に接続する分電盤側端子２ｂとを左右に設けた構成となっている。
何れも縦長の端子金具２１，２１に３個の端子ネジ２２，２２・・を配置して構成され、そのうち双方の最上部の端子ネジ２２，２２の間には連結金具２３が掛け渡されている。連結金具２３は、一端に端子ネジ２２を挿通する透孔２３ａが設けられ、他端に端子ネジ２２に係合するＵ字状切り欠き２３ｂが設けられ、透孔２３ａに端子ネジ２２を挿通した状態で、この透孔２３を中心に回転操作することで、接地極側端子台２ａと分電盤側端子２ｂの連結／分離を実施できる。
【００１５】
蓋板４は、前面部４ａと左右側面部４ｂを有してコ字状に形成され、側面部４ｂが基部５の左右端部に係合して装着できるよう構成されている。下方からスライド挿入して、或いは前方から押圧操作して装着され、端子台２全体が閉塞される。この結果、端子台２への雨水の浸入が防止される。
また図２（ａ）に示すように、基部５の下端に設けられ底板７には、接地線１１を保護する保護管１３を固定するためのノックアウト穴７ａが形成されている。
【００１６】
尚、１１は接地極に接続された接地極側接地線、１２は分電盤に配設された分電盤側接地線を示し、接地極側接地線１１は蓋板４の開放された下方から外部に配設されて接地極に接続される。一方、分電盤側接地線１２は基部５に設けられた挿通孔（図示せず）を介して住戸内に配設される。
【００１７】
コンセント部３は、箱状に形成されたコンセントケース３０内に下方に向けて２個のコンセント３１，３１が配置されている。コンセント３１は、図２に示すように接地極３１ａを備えた３極のプラグを接続可能に構成された３極用コンセントであり、抜け止め構造を備えている。また、接続するプラグに設けられた接地線をネジ止めするためのアースターミナル３２を備えている。コンセント３１をコンセントケース３０内に下向きに配置することで、雨水からコンセント３１の端子金具を保護できる。
【００１８】
図３は、接地線配線用器具１と分電盤８との間の配線を示す説明図であり、８は分電盤、９は接地極を示し、住戸Ｈを断面で示している。分電盤８は、主開閉器１４、複数の分岐ブレーカ１５，１５・・、集中接地端子１６を備え、主開閉器１４の一次側には商用電力系統からの引き込み線Ｌ１が接続され、二次側は個々の分岐ブレーカ１５の一次側に接続されている。そして、分岐ブレーカ１５の二次側は照明や冷蔵庫等の負荷機器に接続されている。
【００１９】
接地線配線用器具１の接地極側端子２ａに接続された接地極側接地線１１は、近くに埋設された接地極９に接続され、分電盤側端子２ｂに接続された分電盤側接地線１２は、住戸Ｈの壁面内を通って集中接地端子１６に接続される。
また、コンセント３１には分岐ブレーカ１５を介して配設された分岐配線Ｌ２が接続され、コンセント３１の接地極３１ａ及びアースターミナル３２には集中接地端子１６から配設された接地線Ｌ３が接続される。
【００２０】
接地線１１，１２がこのように配設された家庭用分電盤において、接地極９の接地抵抗値の計測は次のように実施される。接地線配線用器具１の連結金具２３による接地極側端子２ａと分電盤側端子２ｂの連結を解除することで、接地線配線用器具１において計測できる。この操作は、連結金具２３を固定した左右上端の端子ネジ２２，２２を緩めて、連結金具２３を回転するだけで容易に実施でき、連結を解除することで接地極９の接続は全て解除されるため、この状態で接地極側端子２ａと測定のために設けた補助電極（図示せず）の間の抵抗値を測定すれば、接地抵抗値を測定できる。
【００２１】
このように、接地極９の接地極側接地線１１を取り外したり、他の接地線を取り外すことなく、連結金具２３を操作するだけで分電盤８の集中接地端子１６と接地極９の接続を分離できる。そして、この連結金具２３の操作は屋外で行うことができるため、居住者のプライバシーを配慮することなく接地抵抗値の計測を容易に実施できるし、接地の定期検査をスムーズに行うことができる。
また、接地極９から延びた接地線１１を引き込む際に、使用する保護管１３を固定することができ、別途固定手段を必要としない。
更に、接地極９の追加が必要となっても、端子台２は屋外であるため容易に追加工事を実施できる。更に、端子台２は蓋板４により雨水から保護されるため、屋外であっても安定した性能を維持できる。
また、接地端子を備えた３極プラグを接続できるコンセント３１が併設されるため、屋外での電気機器の使用に便利であるし、このコンセント３１の接地は分電盤８を経由するため、連結金具２３の操作だけで接地極９を分離でき、接地抵抗値を計測できる。
【００２２】
図４は接地線配線用器具１の他の例を示し、端子台２の上部に電力量計収納箱３５を配置した構成となっている。この場合、電力量計は検針し易い位置に設置されるため、接地線配線用器具１は図５に示すように住戸Ｈの外壁の比較的上部に設置される。尚、図５は接地線配用器具１と分電盤８の配置を模式的に示し、上記図３と共通する構成要素については同一の符号を付与してある。また、３５ａは電力量計の封印機構を示している。
【００２３】
このように電力量計収納箱３５と一体に設ければ、接地抵抗値を計測する際、電力量計の場所を探せば良く、接地線配線用器具１の場所を把握し易い。
【００２４】
尚、上記実施形態では、コンセント３１或いは電力量計収納箱３５を備えた構成を示しているが、端子台２のみで構成しても良いし、他の機器と一体に形成しても良い。また、蓋板４はスライド操作で開閉する構成でなくとも良く、上端或いは下端を蝶着して開閉操作するよう構成しても良い。
【符号の説明】
【００２５】
１・・接地線配線用器具、２・・端子台、２ａ・・接地極側端子、２ｂ・・分電盤側端子、３・・コンセント部、４・・蓋板（蓋手段）、７・・底板、７ａ・・ノックアウト穴、８・・分電盤、９・・接地極、１１・・接地極側接地線、１２・・分電盤側接地線、１３・・保護管、１６・・集中接地端子、２３・・連結金具（連結手段）、３１・・３極用コンセント、３５・・電力量計収納箱。
【図１】
2014041763.tif 000003
【図２】
2014041763.tif 000004
【図３】
2014041763.tif 000005
【図４】
2014041763.tif 000006
【図５】
2014041763.tif 000007